(57)【要約】【課題】  機械設備の運転状況情報を収集し、記録する稼動記録装置で、稼動記録装置が停止中にも、運転状況情報の記録消失を回避する技術を提供することである。【解決手段】生産設備の稼働状況を収集記録する稼動記録装置において、生産設備の稼働状況を知らせる運転信号を受信して、作成した稼動情報一時記録データを記憶手段に記録する一時稼動記録手段と、記憶手段に記録された稼動情報一時記録データを読み出して、稼動記録データとして記憶手段に登録して、また、稼動情報記録装置が障害停止から復旧したとき、記憶手段に記録されている稼動情報一時記録データから選択して、稼動記録データとして登録する稼動情報登録手段を備えることを特徴とする稼動記録装置である。【選択図】  図１
2006058095.tif 000002
【特許請求の範囲】
【請求項１】
生産設備の稼働状況を収集記録する稼動記録装置において、
生産設備の稼働状況を知らせる運転信号を受信して、作成した稼動情報一時記録データを記憶手段に記録する一時稼動記録手段と、
記憶手段に記録された稼動情報一時記録データを読み出して、稼動記録データとして記憶手段に登録する稼動情報登録手段と、
を備えることを特徴とする稼動記録装置。
【請求項２】
前期稼動情報登録手段は、稼動情報記録装置が障害停止から復旧したとき、記憶手段に記録されている稼動情報一時記録データから選択して、稼動記録データとして登録することを特徴とする請求項１に記載の稼動記録装置。
【発明の詳細な説明】
【技術分野】
【０００１】
本発明は、機械設備の運転状況情報を収集し、記録する稼動記録装置で、稼動記録装置の障害停止中にも、運転状況情報を、一時保存出来る稼動記録装置に関するものである。
【背景技術】
【０００２】
生産設備を用いた職場では、生産計画の実現把握のために、生産設備の稼動状況を把握する必要があった。このために、これまでも、種々の方法で生産設備の運転状況情報を収集して、記録する稼動記録装置が提案されている。たとえば、特許文献１には、膨大なプラントの運転記録データをデータの精度を落とさないように、データ容量を小さく変換して、効率的にデータ保存することが可能な運転履歴データ処理装置を提供する技術が開示されている。（従来技術１）
【特許文献１】特許第２７７８８５８号公報(２−５頁、図１−６)また、特許文献２には、産業プラントの運転データ収集方法を、調査目的に応じて変えることで、電子計算機で処理するに好適な運転データ保存方法を提供する技術が開示されている。（従来技術２）
【特許文献２】特公平０７−１５３９２号公報 (２−４頁、図１−４)
【発明の開示】
【発明が解決しようとする課題】
【０００３】
しかし、前述した従来の稼動記録装置や稼動記録方法は、しかしながら、これらの稼動記録装置自身に障害が発生した場合に、復旧までの間は記録が行なえず、記録を消失するという稼動記録装置本来の目的を果たせない問題があった。
【０００４】
本発明はこのような従来技術を考慮してなされたものであって、本発明の課題は、稼動記録装置において、装置障害における記録消失を回避する技術を提供することである。
【課題を解決するための手段】
【０００５】
本発明は、以下のような解決手段により、前記課題を解決する。すなわち、請求項１に記載の発明は、生産設備の稼働状況を収集記録する稼動記録装置において、生産設備の稼働状況を知らせる運転信号を受信して、作成した稼動情報一時記録データを記憶手段に記録する一時稼動記録手段と、記憶手段に記録された稼動情報一時記録データを読み出して、稼動記録データとして記憶手段に登録する稼動情報登録手段と、を備えることを特徴とする稼動記録装置である。
【０００６】
請求項２に記載の発明は、前期稼動情報登録手段は、稼動情報記録装置が障害停止から復旧したとき、記憶手段に記録されている稼動情報一時記録データから選択して、稼動記録データとして登録することを特徴とする請求項１に記載の稼動記録装置である。
【発明の効果】
【０００７】
本願発明によれば、稼動記録装置において、機械設備の運転状況情報を収集し、記録する稼動記録装置で、稼動記録装置の障害停止中にも、運転状況情報を、一時保存することで、装置障害における記録消失を回避することができるので、確実な実績把握による生産計画の進捗管理が可能になり、また、生産計画達成に向けて、生産改善の問題点把握や生産余力の把握が可能になる。
【発明を実施するための最良の形態】
【０００８】
以下、図面等を参照しながら、本発明の実施の形態について、更に詳しく説明する。図１は、本発明による稼動記録装置の構成図である。生産設備の稼働状況を収集記録する稼動記録装置１０は、稼動情報登録手段１１と、一時稼動記録手段１２を備える。記憶手段１３は、稼動記録データ１３ａと、稼動情報一時記録データ１３ｂを記憶する。
【０００９】
図２は、本発明による生産設備から送信されてくる運転信号の説明図である。生産設備からの運転信号は、生産数、メインモータ、給紙部、排出部、温度の５種類である。それぞれの運転信号値の意味は、生産数は、数量カウンタの値であり、メインモータは、“0”が停止、“1”が運転であり、給紙部は、“0”が正常、“1”が異常有であり、排出部異常は、“0”が正常、“1”が異常有であり、温度異常は、“0”が正常、“1”が異常有である。たとえば、ある日の10:00から、10:05までの５分間の運転信号を図示する。メインモータが運転を開始すると、メインモータの運転信号２４が、“0”から“1”に変化する。この運転変化の時刻２１は、“10:00:45”である。また、給紙部に異常が発生すると、給紙部の運転信号２５が、“0”から“1”に変化する。この異常発生の時刻２２は、“10:03:15” である。給紙部の異常が復旧すると、給紙部の運転信号２６が、“1”から“0”に変化する。この異常復旧の時刻２３は、“10:03:45” である。
【００１０】
図３は、本発明による稼動記録データの例である。たとえば、一時稼動記録手段は、図２の運転信号を受信して、カウント値を附加した稼動情報一時記録データを作成して、記憶手段に記録する。稼動記録データは、カウント値、日時、精算設備からの運転信号値（生産数、メインモータ、給紙部異常、排出部異常、乾燥機温度異常）、記録の意味等から構成される。カウント値２は、メインモータの運転開始により、メインモータの運転信号２４が、“0”から“1”に変化した時の記録である。カウント値６は、給紙部の異常発生により、給紙部の運転信号２５が、“0”から“1”に変化した時の記録である。カウント値７は、給紙部の異常が復旧して、給紙部の運転信号２６が、“1”から“0”に変化した時の記録である。その他のカウント値は、定期的な時刻の記録である。
【００１１】
図４は、本発明による稼動記録装置の異常停止からの復旧の流れの説明図である。稼動記録装置の動作中は、一時稼動記録手段は、常に、カウント値を附加した稼動情報一時記録データを作成して、記憶手段に記録する。稼動情報一時記録データのカウント値が、“１”〜“４”までは、稼動記録登録手段が、正常に動作しており、この稼動情報一時記録データを稼動記録データとして、登録する。ここで、カウント値５の時に、稼動記録装置に障害が発生４０して、稼動記録登録手段が、稼動情報一時記録データを稼動記録データとして、登録出来なくなったことを示している。が、一時稼動記録手段は、常に、カウント値を附加した稼動情報一時記録データを作成して、記憶手段に記録している。カウント値１０の時に、稼動記録装置に障害が復旧４１したので、稼動記録登録手段が、カウント値が、“５”〜“１０”の障害により未登録の稼動情報一時記録データを、稼動記録データとして、登録作業する。稼動記録登録手段が、登録作業中に、カウント値１１〜１３の稼動情報一時記録データが、追加記録されているので、合わせて、稼動記録データとして登録する。全ての未登録の稼動情報一時記録データを登録完了したので、カウント値１４からは、正常動作４２となる。
【００１２】
図５は、本発明による稼動記録装置のフローチャートである。
（１）一時稼動記録手段１２は、稼動情報記録装置１０が、稼動中であるか判定する。（    ステップＳ８０）稼動していなければ、（６）に進む。稼動中であれば、次に進む。    
（２）一時稼動記録手段１２は、運転信号を受信して、カウント値を附加した稼動情報一    時記録データ１３ｂを作成して、記憶手段１３に記録する。（ステップＳ８１）
（３）稼動情報登録手段１１は、未登録の稼動情報一時記録データ１３ｂが、記憶手段１    ３に、記録されたか判定する。（ステップＳ８２）つまり、稼動情報登録手段１１は    、最後に登録した稼動記録データ１３ａのカウント値を最新カウント値として、保持    しており、稼動情報一時記録データ１３ｂのカウント値と比較して、最新カウント値    が小さければ、稼動情報一時記録データ１３ｂは、未登録と判定する。未登録でなけ    れば、（１）に進む。未登録であれば、次に進む。
（４）稼動情報登録手段１１は、記憶手段１３に記録された稼動情報一時記録データ１３    ｂを読み出して、稼動記録データ１３ａとして記憶手段１３に登録する。（ステップ    Ｓ８３）
（５）稼動情報登録手段１１は、記録した稼動記録データ１３ａのカウント値を最新カウ    ント値として保持して、（１）に進む。（ステップＳ８４）
（６）稼動情報登録手段１１は、稼動情報記録装置１０に障害が、発生し、登録不可能か    判定する。（ステップＳ８５）障害が、発生してなければ、終了する。障害が、発生    していれば、次に進む。
（７）稼動情報登録手段１１は、稼動情報記録装置１０が復旧したか判定する。（ステッ    プＳ８６）復旧していなければ、（６）に進む。復旧していれば、次に進む。
（８）稼動情報登録手段１１は、最新カウント値より大きなカウント値を持つ稼動情報一    時記録データ１３ｂが存在するか判定する。（ステップＳ８７）最新カウント値より    大きなカウント値が存在すれば、次に進む。最新カウント値より大きなカウント値が    存在しなければ、（１）に進む。
（９）その稼動情報一時記録データ１３ｂを記憶手段１３から読み出して、稼動記録デー    タ１３ａとして記憶手段１３に登録する。（ステップＳ８８）
（１０）稼動情報登録手段１１は、記録した稼動記録データ１３ａのカウント値を最新カ    ウント値として保持して、（８）に進む。（ステップＳ８９）
【００１３】
図６は、本発明による稼動記録装置の画面例である。画面には、機械設備の稼動率が、濃淡で、表されている。白は、停止状態を表している。
【００１４】
以上詳しく説明したように、本願発明によれば、稼動記録装置において、機械設備の運転状況情報を収集し、記録する稼動記録装置で、稼動記録装置の障害停止中にも、運転状況情報を、一時保存することで、装置障害における記録消失を回避することができるので、確実な実績把握による生産計画の進捗管理が可能になり、また、生産計画達成に向けて、生産改善の問題点把握や生産余力の把握が可能になる。
【図面の簡単な説明】
【００１５】
【図１】本発明による稼動記録装置の構成図
【図２】本発明による生産設備からの運転信号の説明図
【図３】本発明による稼動記録データの例
【図４】本発明による稼動記録装置の異常復旧の流れ
【図５】本発明による稼動記録装置のフローチャート
【図６】本発明による稼動記録装置の画面例
【符号の説明】
【００１６】
１０  稼動記録装置
１１  稼動情報登録手段
１２  一時稼動記録手段
１３  記憶手段
１３ａ  稼動記録データ
１３ｂ  稼動情報一時記録データ
２１  運転変化の時刻
２２  異常発生の時刻
２３  異常復旧の時刻
２４  メインモータの運転信号
２５  給紙部の運転信号
２６  給紙部の運転信号
４０  稼動記録装置に障害が発生
４１  稼動記録装置に障害が復旧
４２  正常動作
【図１】
2006058095.tif 000003
【図２】
2006058095.tif 000004
【図３】
2006058095.tif 000005
【図４】
2006058095.tif 000006
【図５】
2006058095.tif 000007
【図６】
2006058095.tif 000008